(57)【要約】  【課題】商品陳列用台車に載置された後方商品の前出し作業を、わざわざ陳列空間外の通路を使用することなく、そのままの陳列姿勢で行うことができる商品陳列用台車及び商品陳列棚セットを提供すること。  【解決手段】商品を載せる略平板状の台車本体１と、台車本体１の裏面に付設されるキャスター３と、前後方向の寸法が台車本体１より小さい寸法の底板４２と、底板４２の前後両端から上方に延出する前後側板４１、４３とからなる台車本体１に前後移動自在に載置される前出しトレー４、を備える商品陳列台車１０。【選択図】        図１
2006081716.tif 000002
【特許請求の範囲】
【請求項１】
商品を載せる略平板状の台車本体と、
該台車本体の裏面に付設されるキャスターと、
前後方向の寸法が該台車本体より小さい寸法の底板と、該底板の前後両端から上方に延出する前後側板とを備える該台車本体に前後移動自在に載置される前出しトレー、を備えることを特徴とする商品陳列台車。
【請求項２】
前記前出しトレーは、該底板の左右両端から上方に延出する左右側板を更に備えることを特徴とする請求項１記載の商品陳列台車。
【請求項３】
該前出しトレーの前後方向の寸法が、該台車本体の前後方向の寸法の約１/２であることを特徴とする請求項１又は２記載の商品陳列棚セット。
【請求項４】
ベースと最下段の陳列棚の間に陳列空間を有する商品陳列棚と、
商品を載せる略平板状の台車本体と、該台車本体の裏面に付設されるキャスターと、前後方向の寸法が該台車本体より小さい寸法の底板と、該底板の前後両端から上方に延出する前後側板とからなる該台車本体に前後移動自在に載置される前出しトレーを備える、該陳列空間に置かれる商品陳列台車と、
からなることを特徴とする商品陳列棚セット。
【発明の詳細な説明】
【技術分野】
【０００１】
本発明は、スーパー、百貨店、ホームセンターなどで使用される商品陳列台車又は商品陳列棚セットに関するものである。
【背景技術】
【０００２】
スーパー、百貨店、ホームセンターなどにおいて商品を陳列する方法には種々の陳列形態がある。特開平１１−１１３６４３号公報には、商品陳列棚のベース部内に通路を形成し、同通路に商品陳列用台車を入れて、その上に乗せた複数の商品をベース部内の手前から奥の方向に陳列し、ベース部内手前の商品が売れたら、残りの商品を乗せたまま台車をベース部の通路外へ引き出し、反転させて、同通路内へ戻すことにより、台車上に残る商品をベース部の奥からベース部の手前に入れ替えるスーパーマーケットの商品陳列方法が開示されている。この商品陳列方法で使用される商品陳列用台車は、商品を乗せる台盤状の台車本体の各隅角部下面にキャスターを取り付けると共に、同台車本体の中央部下面に補助キャスターを取り付けたものである（図５参照）。
【０００３】
この商品陳列用台車を用いたスーパーマーケットの商品陳列方法は、商品を乗せる台盤状の台車本体の各隅角部下面に付設されたキャスターにより、商品陳列用台車がベース上を自在に移動できるため、商品のベース部奥からベース部手前への入れ替え作業を女性作業員でも容易に行うことができる。具体的には、商品陳列用台車において、ベース部内手前の商品が売れたら、残りの商品を乗せたまま台車をベース部の通路外へ引き出し（図５中の矢印Ｂ）、反転させて（図５中の矢印Ｃ及びＤ）、同通路内へ戻す（図５中の矢印Ｅ）ことにより、台車Ａ上に残る商品をベース部の奥からベース部の手前に入れ替える。
【特許文献１】特開平１１−１１３６４３号公報（請求項１、請求項３）
【発明の開示】
【発明が解決しようとする課題】
【０００４】
しかしながら、前記スーパーマーケットの商品陳列方法は、商品陳列用台車が僅かな外力によりベース上を自在に移動できるため、上記効果をもたらす一方で、開店中であって、顧客が通路にいる場合には、行い難い方法である。すなわち、当該陳列方法は、広い通路面積を使用すると共に、顧客の通行を妨げることになるという問題がある。
【０００５】
従って、本発明の目的は、商品陳列用台車に載置された後方商品の前出し作業を、わざわざ陳列空間外の通路を使用することなく、そのままの陳列姿勢で行うことができる商品陳列用台車及び商品陳列棚セットを提供することにある。
【課題を解決するための手段】
【０００６】
かかる実情において、本発明者は鋭意検討を行った結果、前後方向の寸法が台車本体より小さい寸法の底板と、該底板の前後両端から上方に延出する前後側板とからなる前出しトレーを台車本体に前後移動自在に載置して使用すれば、商品陳列用台車に載置された後方商品の前出し作業を、わざわざ陳列空間外の通路を使用することなく、そのままの陳列姿勢で行うことができることなどを見出し、本発明を完成するに至った。
【０００７】
すなわち、本発明は、商品を載せる略平板状の台車本体と、該台車本体の裏面に付設されるキャスターと、前後方向の寸法が該台車本体より小さい寸法の底板と、該底板の前後両端から上方に延出する前後側板とからなる該台車本体に前後移動自在に載置される前出しトレー、を備える商品陳列台車を提供するものである。
【０００８】
また、本発明は、前記前出しトレーは、該底板の左右両端から上方に延出する左右側板を更に備える前記商品陳列棚セットを提供するものである。
【０００９】
また、本発明は、該前出しトレーの前後方向の寸法が、該台車本体の前後方向の寸法の約１/２である前記商品陳列棚セットを提供するものである。
【００１０】
また、本発明は、ベースと最下段の陳列棚の間に陳列空間を有する商品陳列棚と、商品を載せる略平板状の台車本体と、該台車本体の裏面に付設されるキャスターと、前後方向の寸法が該台車本体より小さい寸法の底板と、該底板の前後両端から上方に延出する前後側板とからなる該台車本体に前後移動自在に載置される前出しトレーを備える、該陳列空間に置かれる商品陳列台車と、からなる商品陳列棚セットを提供するものである。
【発明の効果】
【００１１】
本発明によれば、商品陳列用台車に載置された後方商品の前出し作業を、わざわざ陳列空間外の通路を使用することなく、そのままの陳列姿勢で行うことができる。
【発明を実施するための最良の形態】
【００１２】
次に、本発明の実施の形態における商品陳列台車を図１及び図２を参照して説明する。図１は本例の商品陳列台車の概略斜視図、図２は図１の商品陳列台を斜め後方から見た概略斜視図である。商品陳列台１０は、商品を載せる略平板状の台車本体１と、台車本体１の裏面に付設されるキャスター３と、台車本体１に前後移動自在に載置される枠体状の前出しトレー４を備える。本明細書において、「前」とは、通路側あるいは顧客側を言い、「後」とはその反対側を言う。
【００１３】
商品陳列台１０における台車本体１は矩形状の天面の縁側に僅かな高さの突起部４を有し、前方端に商品名や価格表示を行うＰＯＳレール２１１が付設されたスカート部２を有する。突起部４は任意の構成要素であり、例えば陳列商品又は前出しトレー（不図示）を設置する際のガイドとなるものである。スカート部２は任意の構成要素であり、スカート部２の長さは、ベース（床面）近くまで延びており、キャスター３を顧客から見えないようにしている。また、台車本体１の天面には前出しトレーの前方移動の直進性を担保するため、前後方向に延出する１本又は複数の凹状のレール溝が形成されていてもよい。この場合、突起部４は省略できる。また、前出しトレーの裏面又は側板には該レール溝に係合する突起が付設される。
【００１４】
台車本体１の略平板状としては、その意味を広く解するものであって、図１に示すような平板状のものの他、台車本体に把持用穴や商品転倒防止用枠部材が嵌合する嵌合穴が形成されたもの、表面に滑り部材が付設されたもの、コーナー部が丸みを有するものなど、公知の形状を含むものである。台車本体の縦長さ及び横長さは、通常、設置場所であるベースと最下段の陳列棚の間に形成される陳列空間の奥行き寸法又は幅寸法により適宜決定される。
【００１５】
台車本体１の裏面に付設されるキャスター３としては、公知のものが使用できる。設置個数も特に制限されず、通常２〜６個の範囲で適宜決定される。また、キャスター３は固定キャスター又は自在キャスター、あるいはこれを組み合わせたものが使用できる。
【００１６】
前出しトレー４は、前後方向の寸法が台車本体１の約１/２の寸法であって、天板の無い箱状物である。すなわち、前出しトレー４は、幅寸法が台車本体１と同じ底板４２と、底板４２の前後両端から上方に延出する前方側板４１及び後方側板４２と、底板４２の左右両端から上方に延出する左側板４１及び右側板４２とからなる。なお、前出しトレー４の前後方向の寸法は、台車本体１の約１/２の寸法に限定されず、台車本体の奥行き寸法や、陳列商品の種類や大きさ等により、適宜決定される。前出しトレー４は、それ自体が商品陳列具であり、前方側板４１または後方側板４２は、商品を前後方向に区画する仕切り板の機能と共に、商品転倒防止板としても機能する。また、前出しトレー４は、上記形態に限定されず、底板４２の左右両端から上方に延出する左側板４１及び右側板４２は省略されたものであってもよい。
【００１７】
次に、本発明の実施の形態における商品陳列棚セットを図３及び図４を参照して説明する。図３は本例の商品陳列棚セットの概略斜視図、図４は本例の商品陳列棚セットの陳列形態における概略斜視図である。商品陳列棚セット３０は、商品陳列棚２０及び商品陳列台車１０から構成される。商品陳列棚２０は、既存のゴンドラ状の商品陳列棚が使用でき、例えば床面などのベース２９と最下段の陳列棚２５の間に形成される陳列空間２４と、支柱２１と、支柱２１の下側部分から前方へ延出する下方側方枠部材２２と、支柱２１の下側部分から横方向へ延出する下方後方枠部材２３と、上下複数段の陳列棚２５〜２８からなる。また、図３では省略するが、通常、陳列空間２４に隣接する陳列空間２４ａにも商品陳列台車１０が置かれる。
【００１８】
次に、商品陳列台１０を商品陳列棚にセットする方法及び後方商品を前出しする方法を説明する。先ず、台車本体１上の後方位置に前出しトレー４を置く。この際、前出しトレー４の後方側板４２と台車本体１の後端面１１の面を一致させる。これにより、前方側の台車本体上１に陳列面Ａと、前出しトレー４の底板４２上に陳列面Ｂが形成される。次いで、陳列面Ａと陳列面Ｂに商品を陳列する。通常、商品が陳列された商品陳列台車１０を複数個準備する。次いで、商品が陳列された商品陳列台車１０を商品陳列棚２０の陳列空間２４に隣接して順次、置いていく（図４）。
【００１９】
前後方向に多数陳列された商品は、陳列面Ａに載置された商品から売れていく。そして、遂には陳列面Ａに載置された商品は無くなる。この時点あるいはその前後において、商品陳列台車１０を陳列空間２４から通路に引き出すことなく、そのままの陳列姿勢で、前出しトレー４を前方へ引き出す。これにより、前出しトレー４に載置された商品が前出しされる。なお、陳列面Ａに僅かに残った商品がある場合、該商品は、前出しトレー４の前方移動後に前出しトレー４に載置された商品と入れ替える等すればよい。そして、前出しトレー４に載置された商品は順次、売れていき陳列商品が無くなるか、あるいは少量となる。その後は、上記セット方法及び前出し方法を繰り返して行う。
【００２０】
本発明によれば、簡易な構造の前出しトレーを用いるだけで、商品陳列用台車に載置された後方商品の前出し作業を、わざわざ陳列空間外の通路を使用することなく、そのままの陳列姿勢で行うことができる。
【図面の簡単な説明】
【００２１】
【図１】本実施の形態例の商品陳列台車の概略斜視図である。
【図２】図１の商品陳列台を斜め後方から見た概略斜視図である。
【図３】本実施の形態例の商品陳列棚セットの概略斜視図である。
【図４】本実施の形態例の商品陳列棚セットの陳列形態における概略斜視図である。
【図５】従来の商品陳列棚セットの概略斜視図である。
【符号の説明】
【００２２】
１      台車本体
２      スカート部
３      キャスター
４      前出しトレー
１０      商品陳列台車
１１      後端面
２０      商品陳列棚
２１      支柱
２２      下方側方枠部材
２３      下方後方枠部材
２４、２４ａ      陳列空間
２５      最下段の陳列棚
２６〜２８  陳列棚
２９    ベース
３０    商品陳列棚セット
４１    前方側板
４２    底板
４３    後方側板
Ａ、Ｂ  陳列面
【図１】
2006081716.tif 000003
【図２】
2006081716.tif 000004
【図３】
2006081716.tif 000005
【図４】
2006081716.tif 000006
【図５】
2006081716.tif 000007